(57)【要約】【課題】税公金帳票のイメージデータに基づいて税公金帳票の認識を行う場合に、誤読による違算の発生を防止する。【解決手段】帳票認識プログラムは、第１の金額が印字される第１の印字欄と第２の金額が印字される第２の印字欄と第１の金額及び第２の金額の合計額である第３の金額が印字される第３の印字欄とを有する金額欄を複数有する帳票のイメージデータに基づいて帳票の認識を行う帳票認識装置のコンピュータを、そのイメージデータに基づいて複数の金額欄の各々の第１の印字欄、第２の印字欄、及び第３の印字欄の文字認識を行う文字認識手段、文字認識手段による文字認識結果において第１の印字欄の文字認識結果である金額と第２の印字欄の文字認識結果である金額との合計額が第３の印字欄の文字認識結果である金額と等しいか否かを判定する判定手段、判定手段の判定結果を通知する通知手段として機能させる。【選択図】図３
2019125099.tif 000002
【特許請求の範囲】
【請求項１】
第１の金額が印字される第１の印字欄と、第２の金額が印字される第２の印字欄と、前記第１の金額及び前記第２の金額の合計額である第３の金額が印字される第３の印字欄とを有する金額欄を複数有する帳票のイメージデータに基づいて前記帳票の認識を行う帳票認識装置のコンピュータを、
前記イメージデータに基づいて、前記複数の前記金額欄の各々における、前記第１の印字欄、前記第２の印字欄、及び前記第３の印字欄の文字認識を行う文字認識手段、
前記文字認識手段による文字認識結果において、前記第１の印字欄の文字認識結果である金額と前記第２の印字欄の文字認識結果である金額との合計額が、前記第３の印字欄の文字認識結果である金額と等しいか否かを判定する第１の判定手段、
前記第１の判定手段の判定結果を通知する通知手段、
として機能させることを特徴とする帳票認識プログラム。
【請求項２】
前記文字認識手段による文字認識結果において、２つ以上の前記第１の印字欄の文字認識結果である金額が一致するか否かと、２つ以上の前記第２の印字欄の文字認識結果である金額が一致するか否かと、２つ以上の前記第３の印字欄の文字認識結果である金額が一致するか否かを判定する第２の判定手段、
として更に機能させ、
前記通知手段は、更に、前記第２の判定手段の判定結果を通知する、
ことを特徴とする請求項１記載の帳票認識プログラム。
【請求項３】
前記帳票は、更に、所定の日付が印字される第４の印字欄を複数有し、
前記文字認識手段は、更に、前記複数の前記第４の印字欄の文字認識を行い、
前記第２の判定手段は、更に、２つ以上の前記第４の印字欄の文字認識結果である日付が一致するか否かを判定する、
ことを特徴とする請求項２記載の帳票認識プログラム。
【請求項４】
前記帳票は、税公金帳票であり、
前記第１の金額は、納付額であり、
前記第２の金額は、延滞金である、
ことを特徴とする請求項１又は２記載の帳票認識プログラム。
【請求項５】
前記所定の日付は、納期限である、
ことを特徴とする請求項３記載の帳票認識プログラム。
【請求項６】
第１の金額が印字される第１の印字欄と、第２の金額が印字される第２の印字欄と、前記第１の金額及び前記第２の金額の合計額である第３の金額が印字される第３の印字欄とを有する金額欄を複数有する帳票のイメージデータに基づいて前記帳票の認識を行う帳票認識装置において実行される帳票認識方法であって、
前記イメージデータに基づいて、前記複数の前記金額欄の各々における、前記第１の印字欄、前記第２の印字欄、及び前記第３の印字欄の文字認識を行い、
前記第１の印字欄の文字認識結果である金額と前記第２の印字欄の文字認識結果である金額との合計額が、前記第３の印字欄の文字認識結果である金額と等しいか否かを判定し、
当該判定結果を通知する、
ことを特徴とする帳票認識方法。
【請求項７】
第１の金額が印字される第１の印字欄と、第２の金額が印字される第２の印字欄と、前記第１の金額及び前記第２の金額の合計額である第３の金額が印字される第３の印字欄とを有する金額欄を複数有する帳票のイメージデータに基づいて前記帳票の認識を行う帳票認識装置であって、
前記イメージデータに基づいて、前記複数の前記金額欄の各々における、前記第１の印字欄、前記第２の印字欄、及び前記第３の印字欄の文字認識を行う文字認識部と、
前記文字認識部による文字認識結果において、前記第１の印字欄の文字認識結果である金額と前記第２の印字欄の文字認識結果である金額との合計額が、前記第３の印字欄の文字認識結果である金額と等しいか否かを判定する判定部と、
前記判定部の判定結果を通知する通知部と、
を備えることを特徴とする帳票認識装置。
【発明の詳細な説明】
【技術分野】
【０００１】
本発明は、帳票のイメージデータに基づいて帳票の認識を行うプログラム、方法、及び装置に関する。
【背景技術】
【０００２】
従来、帳票のイメージデータを取得し、そのイメージデータに基づいて帳票の認識を行う技術が知られている。
【０００３】
例えば、税公金帳票（税金、公共料金等の納付書）のイメージデータを取得し、そのイメージデータに対して文字認識を行うことにより、税公金帳票に印字（記載）された納付額、延滞金、合計（納付額と延滞金の合計額）、及び納期限等を認識する技術が知られている。このような技術は、例えば、金融機関等での税公金納付の際に使用されるオーバーヘッドリーダ等のスキャナ装置と帳票認識装置により実施されている。
【０００４】
また、例えば、振込伝票のイメージデータを取得し、そのイメージデータに対して文字認識を行うことにより、振込伝票に記入された振込金額を認識する技術も知られている（例えば特許文献１参照）。
【先行技術文献】
【特許文献】
【０００５】
【特許文献１】特開２０００−１６３５１０号公報
【発明の概要】
【発明が解決しようとする課題】
【０００６】
上述のように帳票のイメージデータを取得して文字認識を行う場合に、例えば、帳票に掠れや汚れがあったり、イメージデータにノイズが含まれたりすると、文字認識精度が低下し、誤読（誤認識）や不読（認識不可）が生じる虞がある。特に、帳票が税公金帳票である場合に誤読が生じると、認識された納付額と認識された延滞金の合計が、認識された合計と一致しないといった違算が発生する虞がある。
【０００７】
本発明は、上記実状に鑑み、税公金帳票のイメージデータに基づいて税公金帳票の認識を行う場合に、誤読による違算の発生を防止することができる帳票認識プログラム、帳票認識方法、及び帳票認識装置を提供することを目的とする。
【課題を解決するための手段】
【０００８】
プログラムの一観点は、第１の金額が印字される第１の印字欄と、第２の金額が印字される第２の印字欄と、前記第１の金額及び前記第２の金額の合計額である第３の金額が印字される第３の印字欄とを有する金額欄を複数有する帳票のイメージデータに基づいて前記帳票の認識を行う帳票認識装置のコンピュータを、前記イメージデータに基づいて、前記複数の前記金額欄の各々における、前記第１の印字欄、前記第２の印字欄、及び前記第３の印字欄の文字認識を行う文字認識手段、前記文字認識手段による文字認識結果において、前記第１の印字欄の文字認識結果である金額と前記第２の印字欄の文字認識結果である金額との合計額が、前記第３の印字欄の文字認識結果である金額と等しいか否かを判定する第１の判定手段、前記第１の判定手段の判定結果を通知する通知手段として機能させることを特徴とする帳票認識プログラムである。
【０００９】
方法の一観点は、第１の金額が印字される第１の印字欄と、第２の金額が印字される第２の印字欄と、前記第１の金額及び前記第２の金額の合計額である第３の金額が印字される第３の印字欄とを有する金額欄を複数有する帳票のイメージデータに基づいて前記帳票の認識を行う帳票認識装置において実行される帳票認識方法であって、前記イメージデータに基づいて、前記複数の前記金額欄の各々における、前記第１の印字欄、前記第２の印字欄、及び前記第３の印字欄の文字認識を行い、前記第１の印字欄の文字認識結果である金額と前記第２の印字欄の文字認識結果である金額との合計額が、前記第３の印字欄の文字認識結果である金額と等しいか否かを判定し、当該判定結果を通知することを特徴とする。
【００１０】
装置の一観点は、第１の金額が印字される第１の印字欄と、第２の金額が印字される第２の印字欄と、前記第１の金額及び前記第２の金額の合計額である第３の金額が印字される第３の印字欄とを有する金額欄を複数有する帳票のイメージデータに基づいて前記帳票の認識を行う帳票認識装置であって、前記イメージデータに基づいて、前記複数の前記金額欄の各々における、前記第１の印字欄、前記第２の印字欄、及び前記第３の印字欄の文字認識を行う文字認識部と、前記文字認識部による文字認識結果において、前記第１の印字欄の文字認識結果である金額と前記第２の印字欄の文字認識結果である金額との合計額が、前記第３の印字欄の文字認識結果である金額と等しいか否かを判定する判定部と、前記判定部の判定結果を通知する通知部を備えることを特徴とする。
【発明の効果】
【００１１】
開示のプログラム、方法、及び装置は、税公金帳票のイメージデータに基づいて税公金帳票の認識を行う場合に、誤読による違算の発生を防止することができるという効果を奏する。
【図面の簡単な説明】
【００１２】
【図１】一実施の形態に係る帳票認識装置を含む帳票認識システムを例示する図である。
【図２】帳票の一例である税公金帳票を模式的に例示する図である。
【図３】一実施の形態に係る帳票認識装置の機能ブロックを例示する図である。
【図４】一実施の形態に係る帳票認識装置のハードウェア構成を例示する図である。
【図５】一実施の形態に係る帳票認識装置において実行される税公金帳票認識処理の流れを例示するフローチャートである。
【図６】ディスプレイ装置に表示された認識結果画面を例示する図である。
【発明を実施するための形態】
【００１３】
以下、図面を参照しながら本発明の実施の形態について説明する。
図１は、一実施の形態に係る帳票認識装置を含む帳票認識システムを例示する図である。
【００１４】
図１に例示したように、帳票認識システム１は、オーバーヘッドリーダ２と帳票認識装置３を備える。オーバーヘッドリーダ２と帳票認識装置３は、例えば有線により電気的に接続され、相互に信号の送受信が可能である。
【００１５】
オーバーヘッドリーダ２は、スタンド型イメージスキャナ装置であって、撮像部２１が台座２２に対して一定の距離を置いてスタンド２３により支持された構成を有する。撮像部２１は、例えばＣＣＤ（Charge Coupled Device）イメージセンサを備える。このような構成のオーバーヘッドリーダ２は、帳票認識装置３の制御の下、台座２２に載置された帳票を撮像部２１により撮像して帳票のイメージデータを生成し、帳票認識装置３へ出力する。
【００１６】
帳票認識装置３は、汎用ＰＣ（Personal Computer）の構成を有し、ＰＣ本体３１、ディスプレイ装置３２、及びキーボード３３を備える。このような構成の帳票認識装置３は、キーボード３３に対して所定の入力操作が行われると、台座２２に載置された帳票を撮像部２１に撮像させ、生成されたイメージデータを帳票認識装置３へ出力させるように、オーバーヘッドリーダ２を制御する。そして、オーバーヘッドリーダ２から取得したイメージデータに基づいて帳票を認識し、その認識結果をディスプレイ装置３２に表示する。
【００１７】
図２は、帳票の一例である税公金帳票を模式的に例示する図である。
図２に例示したように、税公金帳票は、領収済通知書４１、納付書（原符）４２、及び領収書４３からなり、その各々は、納付額が印字される印字欄（第１の印字欄の一例）４４と、延滞金が印字される印字欄（第２の印字欄の一例）４５と、合計（納付額と延滞金の合計）が印字される印字欄（第３の印字欄の一例）４６とを有する金額欄４７と、納期限が印字される印字欄（第４の印字欄の一例）４８とを有する。すなわち、税公金帳票は、納付額が印字される印字欄４４と、延滞金が印字される印字欄４５と、合計が印字される印字欄４６とを有する金額欄４７を複数有すると共に、納期限が印字される印字欄４８を複数有する。
【００１８】
図２に例示した税公金帳票においては、印字欄４４に納付額として「１００」が印字され、印字欄４５に延滞金として「１０」が印字され、印字欄４６に合計として「１１０」が印字され、印字欄４８に納期限として「平成１１年１１月１１日」が印字されている。
【００１９】
図３は、一実施の形態に係る帳票認識装置の機能ブロックを例示する図である。
図３に例示したように、帳票認識装置３は、主制御部３０１、スキャナ制御部３０２、税公金帳票識別部３０３、文字認識処理部３０４、納期限認識処理部３０５、金額認識処理部３０６、ベリファイチェック処理部３０７、認識結果比較処理部３０８、プルーフチェック処理部３０９、認識結果計算処理部３１０、及び認識結果通知部３１１を備える。
【００２０】
主制御部３０１は、帳票認識装置３の全体を制御する。
スキャナ制御部３０２は、オーバーヘッドリーダ２を制御する。例えば、スキャナ制御部３０２は、台座２２に載置された帳票を撮像部２１に撮像させ、生成されたイメージデータを帳票認識装置３へ出力させるように、オーバーヘッドリーダ２を制御する。
【００２１】
税公金帳票識別部３０３は、文字認識処理部３０４により認識された見出し文字列（キーワード文字列）に基づいて、オーバーヘッドリーダ２から取得されたイメージデータが税公金帳票のイメージデータであるか否か（オーバーヘッドリーダ２により撮像された帳票が税公金帳票であるか否か）を識別する。この識別では、例えば、文字認識処理部３０４により認識された見出し文字列から、税公金帳票に使用される見出し文字列を認識することができた場合に、帳票が税公金帳票であると識別する。ここで、税公金帳票に使用される見出し文字列を認識は、例えば、帳票認識装置３が備えるメモリ（後述するメモリ３２２等）に記録された税公金キーワードテーブル等を用いて行われる。
【００２２】
文字認識処理部３０４は、オーバーヘッドリーダ２から取得された帳票のイメージデータから文字を抽出し、見出し文字列を抽出する。ここで、その抽出は、例えば、帳票認識装置３が備えるメモリ（後述するメモリ３２２等）に記録された文字認識辞書データを用いて行われる。
【００２３】
納期限認識処理部３０５は、帳票が税公金帳票であると税公金帳票識別部３０３により識別された場合に、税公金帳票に使用される見出し文字列として税公金帳票識別部３０３により認識された見出し文字列（ここでは、納期限）に基づいて、税公金帳票のイメージデータにおける各印字欄４８の位置を特定し、その各印字欄４８の文字認識を行う。
【００２４】
金額認識処理部３０６は、帳票が税公金帳票であると税公金帳票識別部３０３により識別された場合に、税公金帳票に使用される見出し文字列として税公金帳票識別部３０３により認識された見出し文字列（ここでは、納付額、延滞金、合計）に基づいて、税公金帳票のイメージデータにおける各金額欄４７の印字欄４４、４５、及び４６の位置を特定し、その各印字欄の文字認識を行う。
【００２５】
ベリファイチェック処理部３０７は、帳票が税公金帳票であると税公金帳票識別部３０３により識別された場合に、金額認識処理部３０６による文字認識結果と納期限認識処理部３０５による文字認識結果において、（１）２つ以上の印字欄４４の文字認識結果である金額が一致するか否かと、（２）２つ以上の印字欄４５の文字認識結果である金額が一致するか否かと、（３）２つ以上の印字欄４６の文字認識結果である金額が一致するか否かと、（４）２つ以上の印字欄４８の文字認識結果である日付が一致するか否かをチェックするというベリファイチェックを行う。なお、以下では、（１）〜（４）のチェック結果の全てが、一致するというチェック結果である場合を、ベリファイチェックＯＫと言い、そうでない場合を、ベリファイチェックＮＧと言う。
【００２６】
認識結果比較処理部３０８は、ベリファイチェック処理部３０７によるベリファイチェック結果が、ベリファイチェックＯＫであるか否かを判定する。
【００２７】
プルーフチェック処理部３０９は、帳票が税公金帳票であると税公金帳票識別部３０３により識別された場合に、金額認識処理部３０６による文字認識結果において、印字欄４４の文字認識結果である金額と印字欄４５の認識結果である金額の合計額が、印字欄４６の文字認識結果である金額と等しいか否かをチェックするというプルーフチェックを行う。なお、以下では、このチェック結果が、等しいというチェック結果である場合を、プルーフチェックＯＫと言い、そうでない場合をプルーフチェックＮＧと言う。
【００２８】
認識結果計算処理部３１０は、プルーフチェック処理部３０９によるプルーフチェック結果が、プルーフチェックＯＫであるか否かを判定する。
【００２９】
認識結果通知部３１１は、帳票が税公金帳票であると税公金帳票識別部３０３により識別された場合に、税公金帳票のイメージデータの認識結果（納期限認識処理部３０５や金額認識処理部３０６による文字認識結果等）と共に、ベリファイチェック処理部３０７のベリファイチェック結果（認識結果比較処理部３０８の判定結果でもある）とプルーフチェック処理部３０９のプルーフチェック結果（認識結果計算処理部３１０の判定結果でもある）を、主制御部３０１へ通知する。
【００３０】
なお、図３に例示した機能ブロックにおいて、文字認識処理部３０４、納期限認識処理部３０５、及び金額認識処理部３０６は、税公金帳票のイメージデータに基づいて、各金額欄４７の印字欄４４、４５、及び４６及び各印字欄４８の文字認識を行う文字認識手段（又は文字認識部）の一例である。プルーフチェック処理部３０９及び認識結果計算処理部３１０は、文字認識手段（又は文字認識部）による文字認識結果において、印字欄４４の文字認識結果である金額と印字欄４５の文字認識結果である金額との合計額が、印字欄４６の文字認識結果である金額と等しいか否かを判定する第１の判定手段（又は判定部）の一例である。ベリファイチェック処理部３０７及び認識結果比較処理部３０８は、文字認識手段（又は文字認識部）による文字認識結果において、２つ以上の印字欄４４の文字認識結果である金額が一致するか否かと、２つ以上の印字欄４５の文字認識結果である金額が一致するか否かと、２つ以上の印字欄４６の文字認識結果である金額が一致するか否かと、２つ以上の印字欄４８の文字認識結果である日付が一致するか否かを判定する第２の判定手段の一例である。認識結果通知部３１１は、第１の判定手段（又は判定部）の判定結果と、第２の判定手段の判定結果を通知する通知手段（又は通知部）の一例である。
【００３１】
図４は、一実施の形態に係る帳票認識装置のハードウェア構成を例示する図である。
図４に例示したように、帳票認識装置３は、ＣＰＵ（Central Processing Unit）３２１、メモリ３２２、入出力装置３２３、外部記憶装置３２４、媒体駆動装置３２５、及びネットワーク接続装置３２６を備える。これらはバス３２７により互いに接続されている。
【００３２】
メモリ３２２は、例えば、ＲＯＭ（Read Only Memory）、ＲＡＭ（Random Access Memory）、フラッシュメモリ等の半導体メモリであり、処理に用いられるプログラム及びデータを格納する。ＣＰＵ３２１は、メモリ３２２を利用してプログラムを実行することにより、後述する税公金帳票認識処理を含む様々な処理を行う。
【００３３】
入出力装置３２３は、ディスプレイ装置３２、キーボード３３、オーバーヘッドリーダ２、マウス、プリンタ等の他の装置との間で情報の入出力を行うインタフェース装置である。
【００３４】
外部記憶装置３２４は、例えば、磁気ディスク装置、光ディスク装置、光磁気ディスク装置、テープ装置等である。この外部記憶装置３２４には、ハードディスクドライブも含まれる。帳票認識装置３は、この外部記憶装置３２４にプログラム及びデータを格納しておき、それらをメモリ３２２にロードして使用することができる。
【００３５】
媒体駆動装置３２５は、可搬型記録媒体３２８を駆動し、その記録内容にアクセスする。可搬型記録媒体３２８は、メモリデバイス、フレキシブルディスク、光ディスク、光磁気ディスク等である。この可搬型記録媒体３２８には、Compact Disk Read Only Memory （ＣＤ−ＲＯＭ）、Digital Versatile Disk（ＤＶＤ）、Universal Serial Bus（ＵＳＢ）メモリ等も含まれる。帳票認識装置３は、この可搬型記録媒体３２８にプログラム及びデータを格納しておき、それらをメモリ３２２にロードして使用することができる。
【００３６】
このように、各種処理に用いられるプログラム及びデータを格納するコンピュータ読み取り可能な記録媒体には、メモリ３２２、外部記憶装置３２４、及び可搬型記録媒体３２８のような、物理的な（非一時的な）記録媒体が含まれる。
【００３７】
ネットワーク接続装置３２６は、ネットワークに接続され、通信に伴うデータ変換を行う通信インタフェースである。帳票認識装置３は、プログラム及びデータを外部の装置からネットワーク接続装置３２６を介して受け取り、それらをメモリ３２２にロードして使用することもできる。
【００３８】
次に、帳票認識装置３において実行される帳票認識処理について説明する。
図５は、一実施の形態に係る帳票認識装置において実行される税公金帳票認識処理の流れを例示するフローチャートである。図６は、ディスプレイ装置に表示された認識結果画面を例示する図である。
【００３９】
図５に例示した税公金帳票認識処理は、台座２２に税公金帳票が載置され、キーボード３３に対して所定の入力操作が行われると開始する。
【００４０】
図５に例示したように、税公金帳票認識処理が開始すると、まず、Ｓ５０１において、スキャナ制御部３０２は、台座２２に載置された税公金帳票を撮像部２１に撮像させ、生成された税公金帳票のイメージデータを帳票認識装置３へ出力させるように、オーバーヘッドリーダ２を制御する（「イメージ読み取り」）。これにより、帳票認識装置３は、税公金帳票のイメージデータを取得する。
【００４１】
Ｓ５０２において、文字認識処理部３０４は、オーバーヘッドリーダ２から取得された税公金帳票のイメージデータから文字を抽出し、見出し文字列を抽出する（「帳票解析」）。
【００４２】
Ｓ５０３において、税公金帳票識別部３０３は、Ｓ５０２で抽出された見出し文字列から、税公金帳票に使用される見出し文字列の認識を行い、帳票が税公金帳票であると識別する（「帳票識別」）。
【００４３】
Ｓ５０４において、金額認識処理部３０６は、Ｓ５０３で認識された見出し文字列（ここでは、納付額、延滞金、合計）に基づいて、税公金帳票のイメージデータにおける各金額欄４７の印字欄４４、４５、及び４６の位置を特定し、その各印字欄の文字認識を行う（「納付額認識」）。
【００４４】
Ｓ５０５において、納期限認識処理部３０５は、Ｓ５０３で認識された見出し文字列（ここでは、納期限）に基づいて、税公金帳票のイメージデータにおける各印字欄４８の位置を特定し、その各印字欄４８の文字認識を行う（「納期限認識」）。
【００４５】
Ｓ５０６において、ベリファイチェック処理部３０７は、Ｓ５０４及びＳ５０５の文字認識結果において、（１）２つ以上の印字欄４４の文字認識結果である金額が一致するか否か、（２）２つ以上の印字欄４５の文字認識結果である金額が一致するか否か、（３）２つ以上の印字欄４６の文字認識結果である金額が一致するか否か、（４）２つ以上の印字欄４８の文字認識結果である日付が一致するか否かをチェックする（「ベリファイチェック」）。
【００４６】
Ｓ５０７において、認識結果比較処理部３０８は、Ｓ５０６でのチェック結果が、ベリファイチェックＯＫであるか否かを判定する（「認識結果は一致？」）。
【００４７】
Ｓ５０７の判定結果がＮＯの場合、Ｓ５０８において、認識結果比較処理部３０８は、ベリファイチェックＮＧ情報を保持する（「ベリファイＮＧ情報を保持」）。ベリファイチェックＮＧ情報は、例えば、Ｓ５０６での（１）〜（４）のチェックのうち、いずれの金額又は日付が一致していなかったかを示す情報を含む。ベリファイチェックＮＧ情報は、例えば、帳票認識装置３が備えるメモリ３２２のＲＡＭに保持される。Ｓ５０８が終了すると、処理がＳ５０９へ進む。
【００４８】
一方、Ｓ５０７の判定結果がＹＥＳの場合は、そのまま処理がＳ５０９へ進む。
Ｓ５０９において、プルーフチェック処理部３０９は、Ｓ５０４での文字認識結果において、印字欄４４の文字認識結果である金額と印字欄４５の文字認識結果である金額の合計額が、印字欄４６の文字認識結果である金額と等しいか否かをチェックする（「プルーフチェック」）。
【００４９】
Ｓ５１０において、認識結果計算処理部３１０は、Ｓ５０９でのチェック結果が、プルーフチェックＯＫであるか否かを判定する（「計算結果は正解？」）。
【００５０】
Ｓ５１０の判定結果がＮＯの場合、Ｓ５１１において、認識結果計算処理部３１０は、プルーフチェックＮＧ情報を保持する（「プルーフＮＧ情報を保持」）。プルーフチェックＮＧ情報も、例えば、帳票認識装置３が備えるメモリ３２２のＲＡＭに保持される。Ｓ５１１が終了すると、処理がＳ５１２へ進む。
【００５１】
一方、Ｓ５１０の判定結果がＹＥＳの場合は、そのまま処理がＳ５１２へ進む。
Ｓ５１２において、認識結果通知部３１１は、税公金帳票のイメージデータの認識結果（Ｓ５０４やＳ５０５での文字認識結果等）と共に、Ｓ５０６でのベリファイチェック結果（Ｓ５０７の判定結果でもある）とＳ５０９でのプルーフチェック結果（Ｓ５１０の判定結果でもある）を主制御部３０１へ通知する（「認識結果通知」）。
【００５２】
Ｓ５１３において、主制御部３０１は、図６に例示したように、税公金帳票のイメージデータ５１と、認識結果通知部３１１からの通知内容（税公金帳票のイメージデータの認識結果、ベリファイチェック結果、及びプルーフチェック結果）５２とを含む認識結果画面をディスプレイ装置３２に表示させる（「画面表示処理」）。
【００５３】
なお、認識結果画面では、ベリファイチェックＮＧであった場合に、一致していなかった金額又は日付が表示される領域が、通常時（ベリファイチェックＯＫである場合）とは異なる形式（表示色の変更等）で表示される。従って、ベリファイチェックＮＧであった場合には、表示色の変更等によりオペレータ（行員等）に注意喚起が為され、オペレータは、必要に応じて税公金帳票認識処理の再実行や修正入力等を行うことができる。なお、このような表示は、例えば、Ｓ５０８で保持されたベリファイチェックＮＧ情報に基づいて行われてもよい。
【００５４】
また、認識結果画面では、プルーフチェックＮＧであった場合に、合計が表示される領域が、通常時（プルーフチェックＯＫである場合）とは異なる形式（表示色の変更等）で表示される。従って、プルーフチェックＮＧであった場合には、表示色の変更等によりオペレータに注意喚起が為され、オペレータは、必要に応じて税公金帳票認識処理の再実行や修正入力等を行うことができる。なお、このような表示は、例えば、Ｓ５１１で保持されたプルーフチェックＮＧ情報に基づいて行われてもよい。
【００５５】
図６に例示した認識結果画面では、ベリファイチェックＯＫであったもののプルーフチェックＮＧであったために、合計が表示される領域５３が通常時の表示色とは異なる表示色で表示されている。これは、税公金帳票のイメージデータ５１における領収書４３の印字欄４６に発生したノイズの影響により、その印字欄４６の文字認識結果である金額が、本来は「１１０」と認識されるべきところ、「１１１０」と誤認識されたことによるものである。
【００５６】
Ｓ５１３が終了すると、税公金帳票認識処理が終了する。
以上のように、本実施形態によれば、税公金帳票のイメージデータに基づいて税公金帳票の認識が行われる場合に、認識結果である金額（納付額、延滞金、合計）や日付（納期限）のベリファイチェックと、認識結果である金額（納付額、延滞金、合計）のプルーフチェックが行われ、そのチェック結果がディスプレイ装置３２に表示される。また、ベリファイチェックＮＧやプルーフチェックＮＧであった場合には、表示色の変更等によりオペレータに注意喚起が為され、オペレータは、必要に応じて税公金帳票認識処理の再実行や修正入力等を行うことができる。従って、誤認識による違算の発生を防止することができる。
【００５７】
なお、本実施形態において、図５のＳ５０９で行われるプルーフチェックは、１つの金額欄４７（例えば、領収書４３の金額欄４７）における印字欄４４、４５、及び４６の文字認識結果に基づいて行われてもよい。あるいは、複数の金額欄４７における印字欄４４、４５、及び４６の文字認識結果に基づいて金額欄４７毎に行われてもよい。もしくは、Ｓ５０６でのベリファイチェックにおける（１）〜（３）のチェック結果の全てが、一致するというチェック結果であった場合には、（１）のチェックで一致した金額と、（２）のチェックで一致した金額との合計額が、（３）のチェックで一致した金額と等しいか否かを判定するようにしてもよい。
【００５８】
以上、本発明の実施の形態を説明したが、本発明は、上述した実施の形態に限定されることなく、本発明の要旨を逸脱しない範囲内で種々の改良・変更が可能である。
【符号の説明】
【００５９】
１                帳票認識システム
２                オーバーヘッドリーダ
３                帳票認識装置
２１              撮像部
２２              台座
２３              スタンド
３１              ＰＣ本体
３２              ディスプレイ装置
３３              キーボード
４１              領収済通知書
４２              納付書（原符）
４３              領収書
４４、４５、４６  印字欄
４７              金額欄
４８              印字欄
５１              イメージデータ
５２              通知内容
５３              領域
３０１            主制御部
３０２            スキャナ制御部
３０３            税公金帳票識別部
３０４            文字認識処理部
３０５            納期限認識処理部
３０６            金額認識処理部
３０７            ベリファイチェック処理部
３０８            認識結果比較処理部
３０９            プルーフチェック処理部
３１０            認識結果計算処理部
３１１            認識結果通知部
３２１            ＣＰＵ
３２２            メモリ
３２３            入出力装置
３２４            外部記憶装置
３２５            媒体駆動装置
３２６            ネットワーク接続装置
３２７            バス
３２８            可搬型記録媒体
【図１】
2019125099.tif 000003
【図２】
2019125099.tif 000004
【図３】
2019125099.tif 000005
【図４】
2019125099.tif 000006
【図５】
2019125099.tif 000007
【図６】
2019125099.tif 000008